(57)【要約】【課題】  片持ち状態の揺動部材を重くして振動特性を高めても、ディスク回転時の揺動部材の自由端部の位置が正規位置から下がらないようにすることによって、ディスクに対する光ピックアップの位置を精度よく保つ。【解決手段】  揺動部材４と、シャーシ１と、クランプ機構３と、カム機構５とを有する。カム機構５が、揺動部材４の自由端部に弾性体４２を介して連結されたシフトレバー５１とカム本体５５とを備える。シフトレバー５１側の突起５３と、その突起５３を乗り上がらせて支持する段付状の係合面１５と、ガイド機構１７とによって位置決め手段８を構成する。突起５３を係合面１５から離脱させるための位置決め解除手段９とを備える。【選択図】        図４
0003127585.tif 000002
【実用新案登録請求の範囲】
【請求項１】
ディスク面との対向位置でそのディスク面の光学処理を行う光ピックアップを搭載して、基端部を支点として上記光ピックアップを上記ディスク面に対向させる第１位置とその第１位置から後退して上記光ピックアップを上記ディスク面から遠ざける第２位置との間で揺動される揺動部材と、
この揺動部材の上記基端部が取り付けられている固定側部材であるシャーシと、
上記揺動部材が第２位置から第１位置に揺動するのに連動して上記光ピックアップとの対向位置に搬入されたディスクをクランプするクランプ動作と上記揺動部材が第１位置から第２位置に揺動するのに連動してディスクのクランプ状態を解除するクランプ解除動作とを行うクランプ機構と、
上記揺動部材を上記第１位置及び第２位置の相互間で揺動させるためのカム機構と、を有し、
上記カム機構が、上記揺動部材の自由端部に振動吸収作用を発揮する弾性体を介して連結されたシフトレバーとこのシフトレバーの昇降動作に追従させて上記揺動部材を第１位置及び第２位置の相互間で揺動させるカム本体とを備えるディスク装置において、
上記揺動部材に取り付けられて上記光ピックアップによるディスク面の光学処理工程でその揺動部材に対する制振作用を発揮する重りと、
上記シフトレバーに具備された突起と、上記揺動部材が第２位置から第１位置に揺動したときに上記突起を乗り上がらせて支持することにより上記揺動部材の第１位置での上記シフトレバーの沈み込みを阻止してその揺動部材の自由端部を位置決めする段付状の係合面と、上記揺動部材が第２位置から第１位置に揺動したときに上記シフトレバーを変位させて上記突起を上記係合面上へ引き寄せるガイド機構とを有して、そのガイド機構が、上記シフトレバーに設けられた可動側傾斜面と上記シャーシに設けられて上記可動側傾斜面が摺動可能な固定側傾斜面とを備える位置決め手段と、
上記カム本体により形成されて、上記揺動部材の第１位置で上記弾性体の配備箇所を支点としてその弾性体を変形させつつ上記シフトレバーを揺動させることにより、上記固定側傾斜面から上記可動側傾斜面を離脱させると共に、上記突起を上記弾性体の配備箇所を支点として変位させて上記係合面から離脱させることによって、上記揺動部材を第１位置から第２位置に揺動させるのに先立って上記位置決め手段による上記揺動部材の位置決め状態を解除する位置決め解除手段と、
を備えることを特徴とするディスク装置。
【請求項２】
ディスク面との対向位置でそのディスク面の光学処理を行う光ピックアップを搭載して、基端部を支点として上記光ピックアップを上記ディスク面に対向させる第１位置とその第１位置から後退して上記光ピックアップを上記ディスク面から遠ざける第２位置との間で揺動される揺動部材と、
この揺動部材の上記基端部が取り付けられている固定側部材であるシャーシと、
上記揺動部材が第２位置から第１位置に揺動するのに連動して上記光ピックアップとの対向位置に搬入されたディスクをクランプするクランプ動作と上記揺動部材が第１位置から第２位置に揺動するのに連動してディスクのクランプ状態を解除するクランプ解除動作とを行うクランプ機構と、
上記揺動部材を上記第１位置及び第２位置の相互間で揺動させるためのカム機構と、を有し、
上記カム機構が、上記揺動部材の自由端部に振動吸収作用を発揮する弾性体を介して連結されたシフトレバーとこのシフトレバーの昇降動作に追従させて上記揺動部材を第１位置及び第２位置の相互間で揺動させるカム本体とを備えるディスク装置において、
上記揺動部材の第１位置での上記シフトレバーの沈み込みを阻止してその揺動部材の自由端部を位置決めすることによりその揺動部材の第１位置から第２位置に向かう変位を阻止する位置決め手段と、
上記揺動部材を第１位置から第２位置に揺動させるのに先立って上記位置決め手段による上記揺動部材の位置決め状態を解除する位置決め解除手段と、
を備えることを特徴とするディスク装置。
【請求項３】
上記位置決め手段が、上記シフトレバーに具備された突起と、上記揺動部材が第２位置から第１位置に揺動したときに上記突起を乗り上がらせて支持する段付状の係合面と、を有する請求項２に記載したディスク装置。
【請求項４】
上記位置決め手段が、上記揺動部材が第２位置から第１位置に揺動したときに上記シフトレバーを変位させて上記突起を上記係合面上へ引き寄せるガイド機構を備える請求項３に記載したディスク装置。
【請求項５】
上記ガイド機構が、上記シフトレバーに設けられた可動側傾斜面と上記シャーシに設けられて上記可動側傾斜面が摺動可能な固定側傾斜面とを備える請求項４に記載したディスク装置。
【請求項６】
上記位置決め解除手段が、上記揺動部材の第１位置で上記弾性体の配備箇所を支点としてその弾性体を変形させつつ上記シフトレバーを揺動させることにより、上記固定側傾斜面から上記可動側傾斜面を離脱させると共に、上記突起を上記弾性体の配備箇所を支点として変位させて上記係合面から離脱させる上記カム本体でなる請求項５に記載したディスク装置。
【考案の詳細な説明】
【技術分野】
【０００１】
本考案はディスク装置に関する。特に、回転中のディスク面の光ピックアップによる光学処理動作時に、その光ピックアップを搭載している揺動部材としてのトラバースが振動してその姿勢が変更されてしまうことに起因する上記光学処理精度の低下を防ぐための対策を講じたディスク装置に関する。
【背景技術】
【０００２】
ディスク面を光ピックアップにより光学処理して記録又は再生を行うＤＶＤドライブなどのディスク装置を図７に外観斜視図で示してある。
【０００３】
図７に示したディスク装置は、ローダシャーシと呼ばれる固定側部材としてのシャーシ１にディスクトレイ２が出退可能に組み付けられていて、このディスクトレイ２の出退動作を通じてディスクが図示していない光ピックアップによる光学処理が可能にセット位置に対して搬入搬出されるようになっている。
【０００４】
図８は上記セット位置に搬入されたディスクＤが上記シャーシに組み付けられているクランプ機構３によってクランプされた状態を示した概略断面図、図９は上記クランプ機構３によるクランプ状態が解除されてディスクがセット位置から搬出されている状態を示した概略断面図である。
【０００５】
図８及び図９に示したクランプ機構３は、モータＭの回転軸に直結された回転テーブル３１と、この回転テーブル３１に対向してシャーシ１の梁部１２に装備されたクランパー３２とを備えているのに対し、上記モータＭが、図示していない光ピックアップを搭載している矩形枠形の揺動部材４に装備されている。揺動部材４は、その基端部（後端部）の幅方向両端部といった適所が、ゴムでなる緩衝材としての弾性体４１を介してシャーシ１に片持ち状態で取り付けられていて、その弾性体４１の配備箇所である基端部を支点として第１位置とその下側の第２位置との間で上下に揺動自在になっている。そして、図８のように、揺動部材４が第１位置に位置しているときには、ディスクＤが載架されたターンテーブル３１がクランパー３２に近付いて両者３１，３２が共働してディスクＤを挟持すると共に、光ピックアップがそのディスク面に対向する。光ピックアップによるディスク面の光学処理は、このようにクランプ機構３がディスクＤのクランプ動作を行っている状態で回転テーブル３１と共にディスクＤを回転させるという動作を通じて行われる。これに対し、図９のように揺動部材４が第２位置に後退しているときには、ターンテーブル３１が光ピックアップと共に下降してクランパー３２との間にディスクの通過を許す隙間が形成され、光ピックアップはディスク面から遠ざけられる。ディスクの搬入搬出はこのように揺動部材４が第１位置から第２位置に揺動しているときに行われる。そして、揺動部材４が第１位置から第２位置に後退することによって、クランプ機構３によるクランプ解除動作が行われる。図９にはディスクの搬入搬出方向を矢印Ｒで示してある。
【０００６】
揺動部材４を第１位置と第２位置との相互間で揺動させるための機構としてカム機構５が採用されている。図例のカム機構５は、揺動部材４の自由端部に振動吸収作用を発揮するゴムでなる緩衝材としての弾性体４２を介して連結されたシフトレバー５１とこのシフトレバー５１の昇降動作に追従させて揺動部材４を第１位置及び第２位置の相互間で揺動させるカム本体５２とを備えている。さらに具体的には、シフトレバー５１に備わっている突起部５２がカム本体５５に備わっているカム面５６に摺動自在に係合している。図例のディスク装置では、カム本体５５がシャーシ１の幅方向に移動可能なカムスライダにより形成されていて、そのようなカム本体５５の駆動のための動力がギヤ５７によって伝達されるようになっている。カム本体５５のカム面５６は傾斜していて、たとえばカム本体５５が往動したときにシフトレバー５１が上昇し、その上昇動作に追従して揺動部材４が第２位置から第１位置に揺動するのに対し、カム本体５５が復動したときにシフトレバー５１が下降し、その下降動作に追従して揺動部材４が第１位置から第２位置に揺動する。
【０００７】
このディスク装置に採用されている上記弾性体４１，４２は、光ピックアップによる光学処理時のモータＭや回転テーブル３１の回転に伴う振動を吸収する作用を発揮する程度の弾力性を備えている。また、揺動部材４の自由端部とシフトレバー５１との連結箇所に介在されている弾性体４２は、シフトレバー５１の昇降時に変形してそのシフトレバー５１を揺動部材４の自由端部に対して揺動させ得る程度の弾力性を備えている。
【０００８】
上記したディスク装置において、光ピックアップによる光学処理時に、回転テーブル３１が所謂２倍速（３０００ＲＰＭ）程度の回転速度で駆動されるものでは、揺動部材４に樹脂成形体を採用してその揺動部材４を軽量化することが可能であり、そのような軽量化された揺動部材４を用いても、動作性能面で問題となるような振動が発生することはないことが判っている。
【０００９】
しかしながら、近時では、回転テーブル３１の回転速度を４倍速（６０００ＲＰＭ）程度に速めて光ピックアップによる光学処理速度を高めても動作性能面で問題となるような振動が発生しないようにする対策を講じることが求められている。そこで、この要求に対処するために、樹脂成形体でなる軽量化された揺動部材４に数十グラム程度の重さの板金製の重りを取り付けて振動の発生を抑制することが行われる。
【００１０】
一方、従来より、ディスク回転時の偏心質量による発生する遠心力が装置の振動発生の主要因になっていることに着目して、そのような偏心荷重をキャンセルするために付加質量を設置するという提案がなされている（たとえば、特許文献１参照）。また、光ディスク装置のトラバースベースにサイドシューを当接させることによってディスク回転によるトラバースベースの水平方向の振動を抑える対策についての提案もなされている（たとえば、特許文献２参照）。
【特許文献１】特開平１１−３５８２号公報
【特許文献２】特開２００２−８３４５号公報
【考案の開示】
【考案が解決しようとする課題】
【００１１】
しかしながら、揺動部材４に重りを取り付けると、振動が抑制される作用は発揮されるものの、その反面で、シフトレバー５７の突起部５２とカム本体５５のカム面５６との間に確保されている遊び隙間や弾性体４２の弾力性などが原因になって、揺動部材４が第１位置に位置しているときにその自由端部の位置が重りの重さによって正規位置よりも下がってしまい、ディスクＤに対する光ピックアップの位置が正規位置から変動して光学処理精度が低下するという事態を生じるおそれがあるということが知見された。このことに関し、上掲の特許文献１や特許文献２に記載されてる事項は、このようなおそれを解消し得るものではない。
【００１２】
本考案は以上の状況の下でなされたものであり、片持ち状態でシャーシに取り付けられている揺動部材が第１位置に位置しているときのその自由端部の位置が正規位置から下がらないような対策を講じることによって、揺動部材が第１位置に位置しているときのディスクに対する光ピックアップの位置が正規位置に精度よく定まるディスク装置を提供することを目的とする。
【００１３】
また、本考案は、部品点数を増やさずに上記目的を達成することにより、当該ディスク装置の量産性が損なわれないようにすることをも目的としている。
【課題を解決するための手段】
【００１４】
本考案に係るディスク装置は、ディスク面との対向位置でそのディスク面の光学処理を行う光ピックアップを搭載して、基端部を支点として上記光ピックアップを上記ディスク面に対向させる第１位置とその第１位置から後退して上記光ピックアップを上記ディスク面から遠ざける第２位置との間で揺動される揺動部材と、この揺動部材の上記基端部が取り付けられている固定側部材であるシャーシと、上記揺動部材が第２位置から第１位置に揺動するのに連動して上記光ピックアップとの対向位置に搬入されたディスクをクランプするクランプ動作と上記揺動部材が第１位置から第２位置に揺動するのに連動してディスクのクランプ状態を解除するクランプ解除動作とを行うクランプ機構と、上記揺動部材を上記第１位置及び第２位置の相互間で揺動させるためのカム機構と、を有し、上記カム機構が、上記揺動部材の自由端部に振動吸収作用を発揮する弾性体を介して連結されたシフトレバーとこのシフトレバーの昇降動作に追従させて上記揺動部材を第１位置及び第２位置の相互間で揺動させるカム本体とを備えていると共に、上記揺動部材の第１位置での上記シフトレバーの沈み込みを阻止してその揺動部材の自由端部を位置決めすることによりその揺動部材の第１位置から第２位置に向かう変位を阻止する位置決め手段と、上記揺動部材を第１位置から第２位置に揺動させるのに先立って上記位置決め手段による上記揺動部材の位置決め状態を解除する位置決め解除手段と、を備える、というものである。
【００１５】
この構成を備えるディスク装置によれば、揺動部材が第１位置に位置しているときには、位置決め手段の作用によって、シフトレバーの沈み込みが阻止されて揺動部材の自由端部が位置決めされるので、揺動部材の第１位置から第２位置に向かう変位が阻止されて光ピックアップの位置が正規位置に精度よく定まる。この作用は、揺動部材に重りが付加されていても同様に発揮される。また、位置決め解除手段の作用によって、揺動部材を第１位置から第２位置に揺動させるのに先立って位置決め手段による揺動部材の位置決め状態が解除されるので、そのような揺動部材の第１位置から第２位置への揺動が不都合なく行われる。
【００１６】
本考案では、上記位置決め手段が、上記シフトレバーに具備された突起と、上記揺動部材が第２位置から第１位置に揺動したときに上記突起を乗り上がらせて支持する段付状の係合面と、を有するものであることが望ましい。これによれば、突起をシフトレバーと一体に形成でき、係合面をシャーシに具備させることができるので、部品点数を増やす必要がなくなって、量産性が損なわれないという利点がある。
【００１７】
本考案では、上記位置決め手段が、上記揺動部材が第２位置から第１位置に揺動したときに上記シフトレバーを変位させて上記突起を上記係合面上へ引き寄せるガイド機構を備えるものであることが望ましく、これによれば、揺動部材が第２位置から第１位置に揺動したときに突起が係合面に確実に乗り上がって上記した位置決め作用の安定性が向上する。
【００１８】
本考案では、上記ガイド機構が、上記シフトレバーに設けられた可動側傾斜面と上記シャーシに設けられて上記可動側傾斜面が摺動可能な固定側傾斜面とを備えることが望ましく、これによれば、ガイド機構を形成するのに部品点数を増やす必要がなくなって、量産性が損なわれないという利点がある。
【００１９】
本考案では、上記位置決め解除手段が、上記揺動部材の第１位置で上記弾性体の配備箇所を支点としてその弾性体を変形させつつ上記シフトレバーを揺動させることにより、上記固定側傾斜面から上記可動側傾斜面を離脱させると共に、上記突起を上記弾性体の配備箇所を支点として変位させて上記係合面から離脱させる上記カム本体でなる、という構成を採用することが可能である。これによれば、カム本体が揺動部材を揺動させる作用だけでなく、位置決め解除手段の作用を発揮するので、位置決め解除手段を形成するのに部品点数を増やす必要がなくなって、量産性が損なわれないという利点がある。
【００２０】
本考案に係るディスク装置は、次の構成を採用することによっていっそう具体化される。すなわち、ディスク面との対向位置でそのディスク面の光学処理を行う光ピックアップを搭載して、基端部を支点として上記光ピックアップを上記ディスク面に対向させる第１位置とその第１位置から後退して上記光ピックアップを上記ディスク面から遠ざける第２位置との間で揺動される揺動部材と、この揺動部材の上記基端部が取り付けられている固定側部材であるシャーシと、上記揺動部材が第２位置から第１位置に揺動するのに連動して上記光ピックアップとの対向位置に搬入されたディスクをクランプするクランプ動作と上記揺動部材が第１位置から第２位置に揺動するのに連動してディスクのクランプ状態を解除するクランプ解除動作とを行うクランプ機構と、上記揺動部材を上記第１位置及び第２位置の相互間で揺動させるためのカム機構と、を有し、上記カム機構が、上記揺動部材の自由端部に振動吸収作用を発揮する弾性体を介して連結されたシフトレバーとこのシフトレバーの昇降動作に追従させて上記揺動部材を第１位置及び第２位置の相互間で揺動させるカム本体とを備えるディスク装置において、上記揺動部材に取り付けられて上記光ピックアップによるディスク面の光学処理工程でその揺動部材に対する制振作用を発揮する重りと、上記シフトレバーに具備された突起と、上記揺動部材が第２位置から第１位置に揺動したときに上記突起を乗り上がらせて支持することにより上記揺動部材の第１位置での上記シフトレバーの沈み込みを阻止してその揺動部材の自由端部を位置決めする段付状の係合面と、上記揺動部材が第２位置から第１位置に揺動したときに上記シフトレバーを変位させて上記突起を上記係合面上へ引き寄せるガイド機構とを有して、そのガイド機構が、上記シフトレバーに設けられた可動側傾斜面と上記シャーシに設けられて上記可動側傾斜面が摺動可能な固定側傾斜面とを備える位置決め手段と、上記カム本体により形成されて、上記揺動部材の第１位置で上記弾性体の配備箇所を支点としてその弾性体を変形させつつ上記シフトレバーを揺動させることにより、上記固定側傾斜面から上記可動側傾斜面を離脱させると共に、上記突起を上記弾性体の配備箇所を支点として変位させて上記係合面から離脱させることによって、上記揺動部材を第１位置から第２位置に揺動させるのに先立って上記位置決め手段による上記揺動部材の位置決め状態を解除する位置決め解除手段と、を備える、という構成を採用することによっていっそう具体化される。この考案の作用などについては後述する実施形態を参照して詳細に説明する。
【考案の効果】
【００２１】
以上のように、本考案によれば、片持ち状態でシャーシに取り付けられている揺動部材の重量の大きさが重くても軽くても、第１位置に位置しているときのその自由端部の位置が正規位置から下がらないので、揺動部材が第１位置に位置しているときのディスクに対する光ピックアップの位置が正規位置に精度よく定まり、仮に４倍速のディスク装置であっても、ユーザにとっては綺麗な画像を楽しむことができるという効果が奏される。また、必ずしも部品点数を増やさずに済むので、ディスク装置の量産性が損なわれないという利点もある。
【考案を実施するための最良の形態】
【００２２】
図１は本考案に係るディスク装置の実施形態の要部を示した概略平面図、図２は図１のＩＩ−ＩＩ線に沿う部分の断面図、図３はカム本体５５の形状を例示した説明図、図４（Ａ）は揺動部材４が第１位置に位置している状態での動作説明図、同（Ｂ）は同（Ａ）に対応するカム機構５の状態を示した説明図、図５（Ａ）は位置決め解除機構９が動作した状態での動作説明図、同（Ｂ）は同（Ａ）に対応するカム機構５の状態を示した説明図、図６（Ａ）は揺動部材４が第２位置に揺動した状態での動作説明図、同（Ｂ）は同（Ａ）に対応するカム機構５の状態を示した説明図である。
【００２３】
図１のディスク装置において、揺動部材４がディスク面との対向位置でそのディスク面の光学処理を行う光ピックアップ（不図示）を搭載している点、揺動部材４が基端部を支点として光ピックアップをディスク面に対向させる第１位置とその第１位置から後退して光ピックアップをディスク面から遠ざける第２位置との間で揺動される点は、図８及び図９を参照して説明したところと同様である。なお、光学処理とは、光ピックアップの作用によりディスク面に対して記録又は再生を光学的に行う処理のことである。
【００２４】
また、このディスク装置は、揺動部材４の上記基端部が弾性体４１を介して取り付けられている固定側部材であるシャーシ１と、揺動部材４が第２位置から第１位置に揺動するのに連動して光ピックアップとの対向位置に搬入されたディスクをクランプするクランプ動作と揺動部材４が第１位置から第２位置に揺動するのに連動してディスクのクランプ状態を解除するクランプ解除動作とを行うクランプ機構（不図示）と、揺動部材４を第１位置及び第２位置の相互間で揺動させるためのカム機構５と、を有している点、カム機構５が、揺動部材４の自由端部に振動吸収作用を発揮する弾性体４２を介して連結されたシフトレバー５１とこのシフトレバー５１の昇降動作に追従させて揺動部材４を第１位置及び第２位置の相互間で揺動させるカム本体５５とを備える点、なども図８及び図９を参照して説明したところと同様である。なお、この実施形態では、図４（Ａ）、図５（Ａ）、図６（Ａ）に示したように、揺動部材４の裏面に板金製の重り７を装備させることによって、回転テーブルが高速回転したときの制振作用を発揮させ得るように構成してある。
【００２５】
図３のように、カム機構５のカム本体５５は、図８及び図９で説明したところと同様にシャーシ１の幅方向Ｗに往復移動可能なカムスライダでなり、２箇所に傾斜したカム面５６を備えている。そして、それらの各カム面５６，５６にシフトレバー５１の前端の２箇所に設けられた突起部５２，５２が摺動自在に係合している。
【００２６】
図１のように、シフトレバー５１の両側に位置決め手段８が備わっている。この位置決め手段８は、シフトレバー５１に具備された横向きの突起５３と、シャーシ１に設けられて上記突起５３が嵌まり込んでいる縦溝部１４とを備えていて、縦溝部１４には上記突起５３が係合可能な水平な段付状の係合面１５とその係合面１５の端縁から下方に延びているガイド面１５ａとが形成されている。そして、揺動部材が第２位置から第１位置に揺動したときには、弾性体４２をその弾力性に抗して歪ませながら突起１５がガイド面１５ａを摺動した後、そのガイド面１５ａの上端を離れた時点で弾性体４２が初期形状に復帰して図１、図２及び図４のように突起１５が係合面１５に乗り上がる。こうして突起１５が係合面１５に乗り上がると、その突起５３が係合面１５によって下側から支持されるために、揺動部材４の第１位置でのシフトレバー５１の下方への沈み込みが係合面１５により阻止されて、揺動部材４が重り７の重みでその自由端部が下がらないように位置決めされることになる。このため、揺動部材４が重くても、光ピックアップの位置が正規位置に精度よく定まる。その結果、揺動部材４に搭載されてる光ピックアップとディスクとの位置関係が適正に維持されて光ピックアップによるディスク面の光学処理精度が高まる。
【００２７】
図４（Ａ）、図５（Ａ）、図６（Ａ）に示したように、この実施形態では、シフトレバー５１の片側の突起部５２に設けられた可動側傾斜面５４と、シャーシ１に設けられて可動側傾斜面５４が摺動可能な固定側傾斜面１６とを備えるガイド機構１７が備わっている。このガイド機構１７は、揺動部材４が第２位置から第１位置に揺動したときにシフトレバー５１を前方へ変位させて突起５３を係合面１５上へ引き寄せる作用を発揮する。したがって、このガイド機構１７の作用により、揺動部材４が第２位置から第１位置に揺動したときには、シフトレバー５１がガイド機構１７の作用と上記した弾性体４２の初期形状への復帰作用とが相乗して確実に前方へ変位し、それに伴って突起５３が係合面１５上へ強制的に引き寄せられて確実にその係合面１５に乗り上がる。その結果、上記同様に、揺動部材４が重くても、光ピックアップの位置が正規位置に精度よく定まることになる。
【００２８】
さらに、この実施形態ではカム機構５のカム本体５５によって、当該カム機構５が揺動部材４を第１位置から第２位置に揺動させるのに先立って位置決め手段８による揺動部材４の位置決め状態を解除する位置決め解除手段９が設けられている。この位置決め解除手段９は、カム本体５５が往動してシフトレバー５１の突起部５２が図４（Ｂ）に示した位置（揺動部材４の第１位置に対応している）から図５（Ｂ）に示したカム面５６の傾斜部に当たって一定量δだけ少し押し下げられたときに、図５（Ａ）のように揺動部材４の第１位置で弾性体４２の配備箇所を支点としてその弾性体４２を変形させつつシフトレバー５１を矢印ａのように揺動させることにより、固定側傾斜面１６から可動側傾斜面５４を離脱させると共に、突起５３を弾性体４２の配備箇所を支点として矢印ｂのように変位させて係合面１５から離脱させる。このため、位置決め解除手段９が動作して突起５３が係合面１５から離脱した後は、カム本体５５の往動によって突起５３が縦溝部１４内を下降し、併せて、シフトレバー５１が揺動部材４と共に下降する。
【００２９】
図１及び図２のように、この実施形態では、シフトレバー５１に設けた他の突起５８をシャーシ１側に設けたカム面１８に対向させてある。そして、揺動部材４が第１位置と第２位置との間で揺動するときに、その突起５８をカム面１８で案内させることによって、上記した突起５３が縦溝１部１４内で円滑に上下動するように構成してある。
【図面の簡単な説明】
【００３０】
【図１】本考案に係るディスク装置の実施形態の要部を示した概略平面図である。
【図２】図１のＩＩ−ＩＩ線に沿う部分の断面図である。
【図３】カム本体の形状を例示した説明図である。
【図４】（Ａ）は揺動部材が第１位置に位置している状態での動作説明図、（Ｂ）は（Ａ）に対応するカム機構５の状態を示した説明図である。
【図５】（Ａ）は位置決め解除機構９が動作した状態での動作説明図、（Ｂ）は（Ａ）に対応するカム機構の状態を示した説明図である。
【図６】（Ａ）は揺動部材が第２位置に揺動した状態での動作説明図、（Ｂ）は（Ａ）に対応するカム機構の状態を示した説明図である。
【図７】ディスク装置の外観図である。
【図８】ディスクがクランプ機構によってクランプされた状態を示した概略断面図である。
【図９】クランプ機構によるクランプ状態が解除された状態を示した概略断面図である。
【符号の説明】
【００３１】
Ｄ  ディスク
１  シャーシ
３  クランプ機構
４  揺動部材
５  カム機構
７  重り
８  位置決め手段
９  位置決め解除手段
１５  係合面
１６  固定側傾斜面
１７  ガイド機構
４２  弾性体
５１  シフトレバー
５３  突起
５４  可動側傾斜面
５５  カム本体
【図１】
0003127585.tif 000003
【図２】
0003127585.tif 000004
【図３】
0003127585.tif 000005
【図４】
0003127585.tif 000006
【図５】
0003127585.tif 000007
【図６】
0003127585.tif 000008
【図７】
0003127585.tif 000009
【図８】
0003127585.tif 000010
【図９】
0003127585.tif 000011